(57)【要約】      （修正有）【課題】スライド式機構と折りたたみ式機構とを合体させた新しい方式の携帯電話機を提供する。【解決手段】携帯電話機は、表示体を有する第１の本体と、操作部を有する第２の本体と、両本体をその両側部において連結する一対の連結竿と、両連結竿のそれぞれの両端部において、連結竿を本体に対し回動自在とする機構と、両連結竿の少なくとも一端部において、当該一端部が連結している方の本体に対し当該一端部を摺動自在とする機構とを備えたことを特徴とする。【選択図】図１
2006270836.tif 000002
【特許請求の範囲】
【請求項１】
表示体を有する第１の本体と、操作部を有する第２の本体と、両本体をその両側部において連結する一対の連結竿と、両連結竿のそれぞれの両端部において、連結竿を本体に対し回動自在とする機構と、両連結竿の少なくとも一端部において、当該一端部が連結している方の本体に対し当該一端部を摺動自在とする機構とを備えたことを特徴とする携帯電話機。
【請求項２】
連結竿を長手方向に伸縮自在としたことを特徴とする請求項１記載の携帯電話機。
【請求項３】
一方の本体に電池を収納し、この電池から、前記連結竿内に収納した電源ケーブルを介して、他方の本体に電力を供給することを特徴とする請求項１記載の携帯電話機。  
【請求項４】
両本体にそれぞれ送受信部を備え、両本体間の信号の授受を無線により行うことを特徴とする請求項１記載の携帯電話機。
【請求項５】
前記信号の授受をブルートゥース方式を用いて行うことを特徴とする請求項４記載の携帯電話機。
【請求項６】
両本体のそれぞれの両側部に片持ち梁状の案内板を設け、この案内板と本体側部との間に前記連結竿を収納したことを特徴とする請求項１記載の携帯電話機。
【請求項７】
案内板に案内溝を形成し、この案内溝に沿って、連結竿の端部に設けたボールを摺動させるよう構成したことを特徴とする請求項６記載の携帯電話機。
【請求項８】
前記連結竿を本体に対して回動自在とする機構にクリック機構を付加したことを特徴とする請求項１記載の携帯電話機。
【発明の詳細な説明】
【技術分野】
【０００１】
本発明は、液晶などの表示体を持つ第１の本体と、操作部を持つ第２の本体とを開閉自在に結合した携帯電話機に関するものである。
【背景技術】
【０００２】
従来の携帯電話機において、表示体を持つ第１の本体と、操作部を持つ第２の本体とを開閉自在にする手段として、例えば特開２００４−２５３４８０号公報に示されるようなスライド式のものと、例えば特開２００１−２１１２４１号公報に示されるようなヒンジを用いた折りたたみ式のものがある。
【特許文献１】特開２００４−２５３４８０号公報
【特許文献２】特開２００１−２１１２４１号公報
【発明の開示】
【発明が解決しようとする課題】
【０００３】
本発明は、スライド式機構と折りたたみ式機構とを合体させた新しい方式の携帯電話機を提供することを目的とする。
【課題を解決するための手段】
【０００４】
本発明の携帯電話機は、表示体を有する第１の本体と、操作部を有する第２の本体と、両本体をその両側部において連結する一対の連結竿と、両連結竿のそれぞれの両端部において、連結竿を本体に対し回動自在とする機構と、両連結竿の少なくとも一端部において、当該一端部が連結している方の本体に対し当該一端部を摺動自在とする機構とを備えたことを特徴とする。
【０００５】
また、連結竿を長手方向に伸縮自在としたことを特徴とする。
また、一方の本体に電池を収納し、この電池から、前記連結竿内に収納した電源ケーブルを介して、他方の本体に電力を供給することを特徴とする。  
また、両本体にそれぞれ送受信部を備え、両本体間の信号の授受を無線により行うことを特徴とする。
【０００６】
また、前記信号の授受をブルートゥース方式を用いて行うことを特徴とする。
また、両本体のそれぞれの両側部に片持梁状の案内板を設け、この案内板と本体側部との間に前記連結竿を収納したことを特徴とする。
また、案内板に案内溝を形成し、この案内溝に沿って、連結竿の端部に設けたボールを摺動させるよう構成したことを特徴とする。
【０００７】
さらに、前記連結竿を本体に対して回動自在とする機構にクリック機構を付加したことを特徴とする。
【発明の効果】
【０００８】
本発明の携帯電話機によれば、第１の本体と第２の本体とを重ねあわせた状態で、表示体を上に向けて使用することができる。また、表示体を裏向けて使用することもできる。また、第１の本体を第２の本体に対し少しスライドさせた状態にすることもでき露出したファンクションキーによってかなりの操作が可能となる。さらに、連結竿を伸ばすことにより、全体を真っ直ぐに引き伸ばした状態で使用することもできるなど、使用者の好みに応じて種々の使用状態に変化させることができる。
【０００９】
電源ケーブルは連結竿の中に収納できるので外観を劣化させることがない。また、信号の送受信としてブルートゥース方式を用いれば、ヘッドセット等のオプション品とのリンクも可能となり、ブルートゥース方式は機器間の距離が短かければ障害物があっても利用でき、消費電力も小さいので携帯電話機に適している。
また、案内板で連結竿が覆われるので、連結竿の連結部分等が外圧で損傷することもない。また、連結竿がボールによって案内板の案内溝を摺動するようにしたので、本体同士が擦れることを防止することができる。
【００１０】
さらに、連結竿と本体との連結機構にクリック機構を付加したので、本体同士を種々の角度にして使用することができる。
【発明を実施するための最良の形態】
【００１１】
以下、本発明の実施の形態を図面を参照して説明する。
図１、図２を用いて本発明の実施における携帯電話機の概略を先に説明する。    
図１ａ、ｂは液晶表示体３を有する第１の本体１と操作部を有する第２の本体２とを液晶表示体３を上方にして折りたたまれた状態を示している。図１ａ，ｂ，ｃ，ｄに示すように両本体１，２は一対の連結竿４，５で連結されている。これらの連結竿４，５は本体１，２によって側方が覆われている。この覆いとなっている案内板６，７，８，９は本体１，２と一体に構成されており一方、と上下が開放状態となった片持ち梁を構成している。即ち、スリット１０，１１，１２，１３が形成され、連結竿４，５の大半がこのスリット１０，１１，１２，１３に挿入されている。液晶表示体３が上面になっているのでメール受信の確認、時刻の確認などを行うことができる。
【００１２】
図１ｃ，ｄは、第１の本体１が第２の本体２上を少しスライドした状態を示しており、ファンクションキー１８が露出するのでかなりの操作が可能である。図１ｂ，ｄに示すように、案内板６，８に設けられた案内溝１４、１５内を連結竿４，５に設けられたボール１６，１７が転がり、図１ｄの状態でストップする。詳細は後述する。
次に、図１ｅ、ｆに示すように、連結竿４，５が引き伸ばされてゆく。連結竿４，５は二重の筒状に構成され、伸縮自在になっている。連結竿は最短長の場合にストッパーがあり容易伸びないようになっている。また、最長長の場合にもストッパーがあり、抜け落ちないように構成されている。
【００１３】
図１ｅ，ｆの状態から、連結竿４，５を一杯に引き伸ばすと、図２ａ，ｂ，ｃに示すように、本体１，２を一直線状にすることができる。そして、本体２の背面に設けたレバー２０を押すことにより、突片２１，２２を本体１の凹部に嵌入する。このようにすると、レバー２０の操作で本体１，２をしっかりと結合できる。本体２の操作部が全部露出するので携帯電話機の機能全部を活用することができる。１９はテンキーである。
【００１４】
図１ｅ，ｆの状態で本体１を一回転させて、折りたたむと、液晶表示体３を内側に納めて保護することができる。
電池は本体２側に収納されており、本体１へは連結竿４、５の中にケーブルを這わせて電力の供給を行う。電池は本体１側に設けても良い。信号のやり取りは、電源ラインと同様、連結竿４，５の中にケーブルを這わせて行っても良いが、連結竿を太くしなければならないので、無線で行う。本体１，２夫々に送受信部を設ける。無線方式は、ブルートゥース方式を用いれば、ヘッドセット等のオプション品とのリンクも可能となる。また、ブルートゥース方式は機器間の距離が１０ｍ以内であれば障害物があっても利用でき、さらに消費電力も小さいので携帯電話機に適している。
【００１５】
次に、各部分の具体的な構成について説明する。
まず、連結竿４，５と本体１、２との結合部分の機構について説明する。図３ａ，ｂ、図４は連結竿４と案内板７とを例にして示している。他の部分も同様の機構である。
案内板７に案内溝７ａ（図１ｂ，ｄの１４，１５に相当）が設けられている。この案内溝７ａの底面に嵌入穴７ｂ、側壁に小さな嵌入穴７ｃが設けられている。一方、連結竿４には円盤体４ａが連結竿４に固定して設けられている。この円盤体４ａの中央孔にボール４ｂ（図１ｂ，ｄの１６，１７に相当）が移動自在に挿入されている。連結竿４にはボール４ｂの一部が入る凹部４ｃが設けられ、ここにバネ４ｄが収納されて、ボール４ｂを案内板７側に付勢している。円盤体４ａの周囲から複数のボール４ｅが突出している。図４に示すようにボール４ｅもバネ４ｆによって案内板７の溝７ａの側壁側に付勢されている。
【００１６】
連結竿４にはさらに通路４ｇが設けられ、ここに電源ケーブル２５が通され本体１に導かれている。本体１にはケーブル２５が通るスリットが形成されている。本体１と連結竿４とは連結竿４に固定された円盤体４ｈと摺動自在に当接している。勿論案内板７側と同様のボールによる機構を設けても良い。
図３ａの状態から連結竿４を滑らせると、つまり、ボール４ｂが案内板７の案内溝７ａ内を移動して、ボール４ｂが嵌入穴７ｂに嵌り込む。この機構によって、本体１と本体２とが図１ａ，ｂの状態、図１ｃ，ｄの状態および図２の状態に固定される。また、図４に示すように、ボール４ｅを嵌入穴７ｃに入れることによって案内板１と連結竿４とを一定角度に保持することができる。連結竿４を回動させ異なるボール４ｅを嵌入穴７ｃに入れると、異なる角度で案内板７と連結竿４とを保持することができる。
【００１７】
図１ｄの状態から図１ｆの状態を経て図２ｃの状態にする場合に、上記のボール４ｅと嵌入穴７ｃとのクリック動作で良好に操作できる。
連結竿４は図５に示すように二重の筒体４ｉ，４ｊが嵌合わされていて、長さを自由に調節出来るようになっている。嵌入穴４ｋ，４ｌに突部４ｍが嵌入するようになっていて最長長さと最短長さでストップするように構成されている。
【００１８】
図６ａ，ｂはレバー２０、と突片２１，２２及び突片２１，２２が嵌入する凹部２６，２７の関係を示している。また、図７ａ、ｂ，ｃは電源コード２５が本体１内で余裕をもたされて、連結竿４が動いても引っ張られないようにしている状態を示している。
上記具体的な機構はこれらに限定されるものではなく、種々の変形が可能である。例えば、図１では連結竿４，５の両端部が本体１，２に対して摺動するように構成されているが、連結竿４，５の一端部が本体に対して摺動するようにしても良い。また、図３のボール４ｂと嵌入穴７ｂとの関係は逆にしても良い。即ち、ボール４ｂとバネ４ｄを案内板７側に設け、嵌入穴７ｂを連結竿４側に設ける。
【００１９】
また、同様に、図４のボール４ｅと嵌入穴７ｃとの関係も逆にしても良い。即ち、ボール４ｅのところを嵌入穴７ｃとし、嵌入穴７ｃのところにバネ４ｆで付勢されたボール４ｅを設ける。この方がボール４ｅ、バネ４ｆの数が少なくて済む。
以上のように構成することにより、本体１と本体２とは図１ａに示すように両者を重ねあわせた状態で、液晶表示体３を上に向けて使用することができる。また、液晶表示体３を裏向けて使用することもできる。また、図１ｃに示すように本体１を本体２に対し少しスライドさせた状態にすることもできファンクションキー１８によってかなりの操作が可能となる。さらに、図２に示すように真っ直ぐに引き伸ばした状態で使用することもできるなど、使用者の好みに応じて種々の使用状態に変化させることができる。
【産業上の利用可能性】
【００２０】
本発明は使用者の好みに応じて種々の形態で使用することができる携帯電話機に用いて有用である。
【図面の簡単な説明】
【００２１】
【図１】ａ，ｂ、ｃ、ｄ、ｅ、ｆは本発明の一実施例における携帯電話機の平面図及び側面図である。
【図２】ａ，ｂ、ｃは同携帯電話機の平面図及び側面図である。
【図３】ａ，ｂは同携帯電話機の一部分の断側面図である。
【図４】同携帯電話機の一部分の断側面図である。
【図５】同携帯電話機の他の一部分の断側面図である。
【図６】ａ，ｂは同携帯電話機の一部分の裏面図である。
【図７】ａ，ｂ，ｃは同携帯電話機の一部分の原理図である。
【符号の説明】
【００２２】
１：第１の本体
２：第２の本体
３：液晶表示体
４，５：連結竿
６，７，８，９：案内板
１０，１１，１２，１３：スリット
１４，１５：案内溝
１６，１７：ボール
１８：ファンクションキー
１９：テンキー
２０：レバー
２１，２２：突片
２５：電源ケーブル
２６，２７：凹部
４ａ：円盤体
４ｂ，４ｅ：ボール
７ａ：案内溝
７ｂ、７ｃ：嵌入穴 
【図１】
2006270836.tif 000003
【図２】
2006270836.tif 000004
【図３】
2006270836.tif 000005
【図４】
2006270836.tif 000006
【図５】
2006270836.tif 000007
【図６】
2006270836.tif 000008
【図７】
2006270836.tif 000009